(57)【要約】【課題】  棒状化粧品の外形寸法と化粧品収納皿の内径寸法の隙間を大きくすることで、寸法の狂いなどによって収納された棒状化粧品が折れやすくなったり、棒状化粧品が化粧品収納皿から脱落してしまうことを防止する。【解決手段】  棒状に成形された口紅などの棒状化粧品の下部を内部に差し込むことで棒状化粧品を保持する化粧品収納皿で、差し込まれた棒状化粧品に対して粘着効果のある油状被膜を化粧品収納皿内部に形成する。あるいは粘着効果のある油状物が棒状化粧品によって化粧品収納皿内部に押し広げられて油状被膜となる。【選択図】図１
2006006443.tif 000002
【特許請求の範囲】
【請求項１】
棒状に成形された口紅などの棒状化粧品の下部を内部に差し込むことで棒状化粧品を保持する化粧品収納皿で、差し込まれた棒状化粧品に対して粘着効果のある油状被膜を化粧品収納皿内部に形成したことを特徴とする化粧品収納皿。
【請求項２】
棒状化粧品の下部を内部に差し込む前の化粧品収納皿では化粧品収納皿内部の棒状化粧品が差し込まれる部分の側面あるいは底面の一部に粘着効果のある油状物が配置されていて、油状物が棒状化粧品によって化粧品収納皿内部に押し広げられて油状被膜となることを特徴とする請求項１記載の化粧品収納皿。
【発明の詳細な説明】
【技術分野】
【０００１】
本発明は、口紅などの棒状化粧品収納容器に使用される化粧品収納皿に関するもので、なかでも、外部で棒状に成形された口紅などの棒状化粧品の下部を内部に差し込むことで棒状化粧品を保持する化粧品収納皿に関するものである。
【背景技術】
【０００２】
従来の口紅などの棒状化粧品収納容器に使用される化粧品収納皿は、その内部には棒状化粧品を収納して、繰り出し機構によって棒状化粧品収納容器の上端部より棒状化粧品を出没可能とする構造が使用されている。
【０００３】
口紅のような棒状化粧品は傷つきやすく非常に柔らかいものであるので、あらかじめ外部の棒状化粧品成形工程によって所定形状に成形され、その下部が化粧品収納皿に慎重に差し込まれるものである。そして、差し込んだ棒状化粧品が化粧品収納皿から脱落するのを防止するため、化粧品収納皿内部には突起を設けてそれを棒状化粧品に食い込ませたり、あるいは棒状化粧品の化粧品収納皿に差し込まれる部分の外形寸法と化粧品収納皿の内径寸法を高い精度で管理し、極力隙間をなくすことで棒状化粧品の外面を化粧品収納皿内面に接触させて、棒状化粧品をわずかに圧迫させるなどの手段が用いられていた。
【０００４】
しかし、このように構成された従来の化粧品収納皿は、いづれの場合であっても若干の寸法の狂いなどによって収納された棒状化粧品を圧迫させ過ぎることになり、それによって棒状化粧品の内部に歪みが発生しやすく、棒状化粧品が折れやすくなってしまい、品質が安定しないという欠点があった。
【０００５】
また、以上のような欠点を発生させないためには棒状化粧品を圧迫させないような寸法、すなわち棒状化粧品の外形寸法と化粧品収納皿の内径寸法の隙間を大きくすればよいが、その場合には棒状化粧品が簡単に化粧品収納皿から脱落してしまうという欠点があるので、従来はこの方法が使用できなかった。
【発明の開示】
【発明が解決しようとする課題】
【０００６】
本発明は以上のような従来の欠点に鑑み、棒状化粧品が折れやすくなってしまうということがなく、また化粧品収納皿から脱落してしまうということのない化粧品収納皿を提供することを目的としている。
【０００７】
本発明の前記ならびにそのほかの目的と新規な特徴は次の説明を添付図面と照らし合わせて読むと、より完全に明らかになるであろう。ただし、図面はもっぱら解説のためのものであって、本発明の範囲を限定するものではない。
【課題を解決するための手段】
【０００８】
上記課題を解決するため、本発明は棒状化粧品が折れやすくなってしまったり、また化粧品収納皿から脱落してしまうということをなくすため、差し込まれた棒状化粧品に対して粘着効果のある油状被膜を化粧品収納皿内部に形成することを最も主要な特徴とする。
【発明の効果】
【０００９】
本発明は以上説明したように構成されているので、以下に記載されるような効果を奏する。
【００１０】
寸法の狂いによって収納された棒状化粧品を圧迫させ過ぎることがなく、それによって棒状化粧品の内部に歪みが発生したり、棒状化粧品が折れやすくなってしまうということがないので、品質を安定させることができる。
【００１１】
棒状化粧品を圧迫させないような寸法とした場合でも簡単に化粧品収納皿から脱落してしまうということがないので、寸法管理に高い精度がいらなくなる。
【発明を実施するための最良の形態】
【００１２】
棒状化粧品が折れやすくなってしまうということを防止する、簡単に化粧品収納皿から脱落してしまうことを防止するという目的を、差し込まれた棒状化粧品に対して粘着効果のある油状被膜を化粧品収納皿内部に形成することで実現した。
【実施例１】
【００１３】
以下、図面に示す実施例により本発明を詳細に説明する。
図１および図２に示す発明の第１の実施例において、１は下部に軸心方向の切り割り溝２が形成された筒状の内筒部材である。
【００１４】
３は内部に螺旋溝４が形成され前記内筒部材１の切り割り溝２が形成された部位を回動可能ではあるが抜け出し不能に覆うラセン部材で、このラセン部材３の上部には係止溝６が形成され、この係止溝６が内筒部材１に形成された係止リブ５をくわえ込むことで内筒部材１とラセン部材３は回動可能ではあるが抜け出し不能とされている。
【００１５】
７は内筒部材１内に上下移動可能に形成され、上部内部に差し込まれた棒状化粧品２１を保持することのできる化粧品収納皿である。
【００１６】
８は内筒部材１の切り割り溝２及びラセン部材４の螺旋溝３と係合する化粧品収納皿７に形成された係合ピンである。
【００１７】
１０は上部に蓋嵌合部９が形成されラセン部材３の外周を覆う袴部材１０である。
【００１８】
２２は袴部材１０に形成された蓋嵌合部９と着脱自在に嵌合する蓋である。
【００１９】
このように構成された口紅などの化粧品収納容器３０は内筒部材１と袴部材１０を回動させることにより上端部より棒状化粧品２１を出没させることができる。また、以上説明した化粧品収納容器３０の構造は一例であり、本発明の化粧品収納容器３０の構造はこれに限らず、従来から使用されている棒状化粧品２１の化粧品収納容器３０の構造であれば何でもよい。
【００２０】
１１は化粧品収納皿７成形後に化粧品収納皿７内部に、棒状化粧品２１を貼り付けることができるように意志を持って、塗布などの手段によって形成された粘着効果のある油状被膜で、この油状被膜１１は棒状化粧品２１を化粧品収納皿７に差し込んだ際に棒状化粧品２１と化粧品収納皿７の隙間を埋め、さらにその油状被膜１１の粘着力あるいは表面張力によって棒状化粧品２１を化粧品収納皿７に貼り付けるように作用する。
【００２１】
この油状被膜１１に使用される材料としては、棒状化粧品２１あるいは化粧品収納皿７とほとんど化学反応を起こさず棒状化粧品２１あるいは化粧品収納皿７を変質させてしまうことのない材料であることはもちろんであるが、油脂成分であることが望ましく、なかでも棒状化粧品２１に原料として使用される容易に蒸発しない油脂成分を使用することが望ましいもので、たとえば油脂類、ロウ類、炭化水素類、高級脂肪酸類、高級アルコール類、エステル類が中心となる。
【００２２】
その一例を記載するならば、棒状化粧品２１によく使用される原材料として油脂類なら、アーモンド油、ナッツ油、コーン油、オレンジ油、オリーブ油、ミンク油、卵黄油等が、またロウ類なら、ホホバ油、液状ラノリン等が、また炭化水素類なら、流動パラフィン、マイクロクリスタルワックス、ワセリン、スクワラン等が、また高級脂肪酸類なら、イソステアリン酸、オレイン酸等が、また高級アルコール類なら、オレイルアルコール等が、またエステル類なら、エステル、酢酸ラノリン等を使用することが望ましい。
またこれに限らず、棒状化粧品２１にはあまり使用されない材料であっても、シリコンオイル等の容易に蒸発しない成分で棒状化粧品２１あるいは化粧品収納皿７を変質させてしまうことのない材料であれば何でもよい。
【００２３】
さらに油状被膜１１に使用される材料の粘度あるいは硬度は棒状化粧品２１よりも低いことが望ましい。この棒状化粧品２１は口紅に代表されるがそれ自体が非常に柔らかい成分でできているもので、棒状化粧品２１を化粧品収納皿７に差し込む際に油状被膜１１が邪魔にならぬように、棒状化粧品２１によって押し出されるような粘度、あるいは硬度のもの、すなわち柔らかいものが使用される。このように使用されるものであるから、その粘度あるいは硬度は棒状化粧品２１によって変える必要があり、その粘度は１パスカル・秒から１００パスカル・秒程度のものがよい。いずれにしてもこの油状被膜１１は容易に蒸発せず、容易に粘度あるいは硬度の変化しないものが望ましい。
【００２４】
このように構成された化粧品収納容器３０はその上部より棒状化粧品２１が化粧品収納皿７に差し込まれるが、その際に油状被膜１１はもしその量が多かった場合には棒状化粧品２１に押し出されて、化粧品収納皿７の棒状化粧品２１が差し込まれる部分の底穴１２より下方へ押し出される構造となっていて、適量の油状被膜１１が差し込まれた棒状化粧品２１と化粧品収納皿７の間に残り、棒状化粧品２１と化粧品収納皿７の隙間を埋めるようになるものである。
【実施例２】
【００２５】
次に本発明の異なる実施例につき説明する。なお、これらの説明にあたって前記発明の第１の実施例と同一構成部分には同一符号を付して重複する説明を省略する。
【００２６】
図３および図４に示す発明の第２の実施例において、前記発明の第１の実施例と主に異なる点は化粧品収納皿７にあらかじめ油状被膜１１を形成しておくのではなく、棒状化粧品２１を差し込む前の化粧品収納容器３０Ａでは、化粧品収納皿７Ａ内部の棒状化粧品２１が差し込まれる部分の側面あるいは底面の一部に粘着効果のある油状物１３があらかじめ水滴状に配置されている。
【００２７】
この状態の化粧品収納容器３０Ａに棒状化粧品２１を差し込むことにより、油状物１４が棒状化粧品２１によって化粧品収納皿７Ａ内部に押し広げられて油状被膜１１Ａとなるものである。このように構成した化粧品収納容器３０Ａとしてもよい。
【実施例３】
【００２８】
図５および図６に示す発明の第３の実施例において、前記発明の第２の実施例と主に異なる点は、化粧品収納皿７Ｂに形成した油だまり１４と、この油だまり１４に配置された油状物１３Ｂで、棒状化粧品２１を差し込む前の化粧品収納容器３０Ｂではこの化粧品収納皿７Ｂの油だまり１４に粘着効果のある油状物１３Ｂがあらかじめ配置されているので油状物１４が他の場所へ流れ出したりすることを防止することができる。またこの油だまり１４は図の説明では化粧品収納皿７Ｂの棒状化粧品２１が差し込まれる部分の底面として説明しているが、横面であっても差しつかえない。このように油状被膜１１Ｂを形成するように構成した化粧品収納容器３０Ｂとしてもよい。
【産業上の利用可能性】
【００２９】
簡単に化粧品収納皿から脱落してしまうことを防止することができ、油状物の種類を変えることによって、他の棒状化粧品にも適用できる。
【図面の簡単な説明】
【００３０】
【図１】発明の断面説明図および部分拡大図である。（実施例１）
【図２】発明の断面説明図および部分拡大図である。（実施例１）
【図３】発明の断面説明図および部分拡大図である。（実施例２）
【図４】発明の断面説明図および部分拡大図である。（実施例２）
【図５】発明の断面説明図および部分拡大図である。（実施例３）
【図６】発明の断面説明図および部分拡大図である。（実施例３）
【符号の説明】
【００３１】
１    内筒部材
２    切り割り溝
３    ラセン部材
４    螺旋溝
５    係止リブ
６    係止溝
７、７Ａ、７Ｂ    化粧品収納皿
８    係合ピン
９    蓋嵌合部
１０    袴部材
１１、１１Ａ、１１Ｂ    油状被膜
１２    底穴
１３、１３Ｂ    油状物
１４    油だまり
２１    棒状化粧品
２２    蓋
３０、３０Ａ、３０Ｂ    化粧品収納容器
【図１】
2006006443.tif 000003
【図２】
2006006443.tif 000004
【図３】
2006006443.tif 000005
【図４】
2006006443.tif 000006
【図５】
2006006443.tif 000007
【図６】
2006006443.tif 000008